(57)【特許請求の範囲】
【請求項１】
地震検出器で得られた地震データをデジタル変換するＡ／Ｄ変換器と、同Ａ／Ｄ変換器で変換されたデータをある一定時間記録しておく遅延メモリと、同遅延メモリに記録された上記データを記録する記録媒体と、同記録媒体の記録制御を行なうＣＰＵとをそなえた地震データ記録装置において、上記記録媒体による次回の記録が、前回の記録終了時における上記遅延メモリのマップの上記記録終了時の番地＋１番地に格納されているデータを記録することから開始されることを特徴とする、地震データ記録装置。
【請求項２】
上記記録媒体が、上記地震検出器から閾値を超えた計測信号を入力されたときに、その時点から所定の遅延時間分遡って上記遅延メモリに記録されているデータを記録することを特徴とする、請求項１に記載の地震データ記録装置。
【発明の詳細な説明】
【０００１】
【発明の属する技術分野】
本発明は、地震検出器で得られた地震データを記録する地震データ記録装置に関し、特に回収された複数のデータファイルを一連の地震データとして繋ぎ合わせて記録するようにした、地震データ記録装置に関する。
【０００２】
【従来の技術】
地震データ記録装置として、図３（図３は本発明の一実施形態の地震データ記録装置の模式回路図であるが、従来技術の説明に利用する）に示すようなものが知られている。
【０００３】
すなわち図３において、符号１，２，３，…ｎはそれぞれ振動を検出し電気信号に変換する地震検出器（以下「検出器」と略称する）を示していて、各検出器１〜ｎで検出された地震データ（アナログ信号）は、それぞれ増幅器11, 12, …1nで増幅され、Ａ／Ｄ変換器20でデジタル信号に変換されて、ＣＰＵ30に送られる。
【０００４】
ＣＰＵ30に、遅延メモリ40，ＲＯＭ・ＲＡＭ41および記録媒体50がそれぞれ接続されていて、検出器１，２，…ｎで検出された地震データが遅延メモリ40に記録されるようになっている。そして検出器１，２，…ｎから閾値を超えた計測信号（地震の振幅）が入力されると、つまりあるレベル以上の地震が発生したとき、その時点から所定の遅延時間（例えば１５秒）分遡って遅延メモリ40に記録されていたデータが記録媒体50に記録されるようになっている。
【０００５】
そのために、各増幅器11〜1nとＡ／Ｄ変換器20との間に、コンパレータ（図示せず）が介装されている。
ＲＯＭ・ＲＡＭ41には、ＣＰＵ30の作動用プログラム等が格納されている。
【０００６】
なお、ＣＰＵ30には、ＧＰＳまたはＡＭ／ＦＭラジオの信号を受信する受信器60，受信器60の時報信号に基づいてＣＰＵ30内の時計を自動修正する時報修正回路61が接続されていて、記録媒体50に絶対時刻も記録されるようになっている。符号60ａはアンテナを示している。
【０００７】
図３中の符号80は、記録媒体50が記録を行なう時間を設定するタイマーを示している。記録媒体としては、ＩＣメモリカード，ＩＣフラッシュメモリカード，ＲＡＭ，デジタルデータレコーダなどが一般的である。なおＣＰＵ30のソフトウェアでタイマー80が構成される場合は省略できる。
【０００８】
【発明が解決しようとする課題】
ところで、上述のような従来の装置では、検出器１，２，…ｎから閾値を超えた計測信号が入力されると、その時点から所定の遅延時間分遡って、遅延メモリ40に記録されている地震データが記録媒体50に記録（第１回目の記録）され、タイマー80の設定時間（例えば６０秒）の経過後に記録媒体50の記録は停止する。
【０００９】
そして、この停止期間中に、閾値を超えた計測信号が入力されると、あるいはタイマー80に設定された一定時間が経過すると、次回（第２回目）の記録が開始される。
【００１０】
したがって、記録媒体50の記録は、図４に示すように、第１回目の記録１と第２回目の記録２との間に連続性がなく、したがって記録２のデータが示す地震（地震２）が、記録１のデータが示す地震（地震１）とどのような関連をもつものか、つまり地震２と地震１とが同じ地震なのか、別の地震なのか、の判定が行なえないという問題点がある。
本発明は、このような問題点を解決しようとするものである。
【００１１】
【課題を解決するための手段】
本発明は、地震検出器で得られた地震データをデジタル変換するＡ／Ｄ変換器と、同Ａ／Ｄ変換器で変換されたデータをある一定時間記録しておく遅延メモリと、同遅延メモリに記録された上記データを記録する記録媒体と、同記録媒体の記録制御を行なうＣＰＵとをそなえた地震データ記録装置において、上記記録媒体による次回の記録を、前回の記録終了時における上記遅延メモリのマップの上記記録終了時の番地＋１番地に格納されているデータを記録することから開始するようにして課題解決の手段としている。
【００１２】
また、上記記録媒体を、上記地震検出器から閾値を超えた計測信号が入力されたときに、その時点から所定の遅延時間分遡って上記遅延メモリに記録されているデータを記録するようにして課題解決の手段としている。
【００１３】
本発明では、記録媒体に、前回のデータの後端（終端）に次回のデータの始点が接続されて記録され、回収された複数のデータファイルが一連の地震データとして繋ぎ合わさったものとなるので、一連のデータとして処理することが可能となる。その結果、第１回目の記録のデータが示す第１の地震と第２回目の記録のデータが示す第２の地震との関連を（記録媒体の記録から）簡単に判定することが可能となる。
【００１４】
また、記録媒体の記録は、地震計の計測信号が閾値を超えてから行なわれるので、地震レベル判定を行なうこともできる。
【００１５】
【発明の実施の形態】
以下、図面により本発明の一実施形態としての地震データ記録装置について説明すると、図１はその遅延データマップの模式図、図２は同記録された地震データの一例を示す図、図３はその模式回路図である。
【００１６】
この実施形態の地震データ記録装置は、図３に示した回路構成となっているので、同装置についての詳細な説明は省略するが、検出器１，２，…ｎから閾値を超えた計測信号（地震の振幅）が入力されたとき、つまりあるレベル以上の地震が発生したとき、その時点から所定の遅延時間（例えば１５秒）分遡って遅延メモリ40に記録されていたデータを記録媒体50が記録するようになっている。
【００１７】
しかし本実施形態のものでは、遅延メモリ40に記録されている地震データの取り出し方（記録媒体50に記録するために遅延メモリ40に記録されている地震データを取り出す方法）が、上述の従来のものと異なる。
すなわち、図１に示した遅延メモリマップ10において、矢印Ｘは最初（１回目）の記録開始番地を、また矢印Ｙは同（第１回目の）記録最終番地を示している。
【００１８】
つまり、記録媒体50は、遅延メモリマップ10のＸ番地のデータから第１回目の記録を開始し、タイマ80で設定された時間記録を継続した後、記録を停止する。したがって、記録媒体50における第１回目の記録１は、遅延メモリマップ10に記録されているデータのうち、Ｘ番地からＹ番地までに記録されたデータが記録されることになる。
【００１９】
そして、第１回目の記録終了番地ＹがＲＯＭ・ＲＡＭ41に記憶される。
記録媒体50による次回（第２回目）の記録は、遅延メモリマップ10の［Ｙ＋１］番地のデータから開始される。以下同様の作動が繰り返し実行される。
【００２０】
したがって、記録媒体50には、図２に示すように前回のデータの後端（終端）に次回のデータの始点が接続されて記録され、回収された複数のデータファイルは一連の地震データとして繋ぎ合わさったものとなるので、一連のデータとして処理することが可能となる。その結果、記録１のデータが示す地震１と記録２のデータが示す地震２との関連を（記録媒体50の記録から）簡単に判定することが可能となる。
【００２１】
また、記録媒体50に記録されたデータを、Ｄ／Ａ変換器の使用により連続した波形としてモニタできる。
さらに、記録媒体50の記録があるレベル以上の地震の発生により開始されるので、地震レベル判定を行なうことができる。
なお、一連の地震データとしてみなせるデータは、前回の地震データ記録終了後、次回の地震データ記録開始が遅延メモリの容量内であることが条件である。
【００２２】
【発明の効果】
以上詳述したように、本発明によれば次のような効果が得られる。
(1) 記録媒体に、前回のデータの後端（終端）に次回のデータの始点が接続されて記録され、回収された複数のデータファイルが一連の地震データとして繋ぎ合わさったものとなるので、一連のデータとして処理することが可能となる。その結果、第１回目の記録のデータが示す第１の地震と第２回目の記録のデータが示す第２の地震との関連を（記録媒体の記録から）簡単に判定することが可能となる。
(2) 個々の記録解析と連続した記録の解析ができる。
(3) 記録媒体の記録は、地震検出器の計測信号が閾値を超えてから行なわれるので、地震レベル判定を行なうこともできる。
(4) 保管するファイル数が少なくなる。
(5) Ｄ／Ａ変換器を使用して連続した波形をモニタできる。
【図面の簡単な説明】
【図１】本発明の一実施形態としての地震データ記録装置における遅延データマップの模式図。
【図２】同記録媒体に記録された地震データの一例を示す図。
【図３】同地震データ記録装置の模式回路図。
【図４】従来の記録媒体に記録された地震データの一例を示す図。
【符号の説明】
１，２，３，…，ｎ  地震検出器
10  遅延メモリマップ
11，12, 13, …, 1n  増幅器
20  Ａ／Ｄ変換器
30  ＣＰＵ
40  遅延メモリ
41  ＲＯＭ・ＲＡＭ
50  記録媒体
60  受信器
70  インターフェース
80  タイマー
【図１】
0003922494.tif 000002
【図２】
0003922494.tif 000003
【図３】
0003922494.tif 000004
【図４】
0003922494.tif 000005